Podtech/llm-jp-corpus-v4-ja_patent huggingface dataset:
(57)【要約】      （修正有）【課題】動物が苦痛を感じることがない心臓検査用の柔らかなマットで脱落防止機能を有したものを提供する。【解決手段】柔らかい厚みのあるウレタンマットで、心臓の検査が可能なように辺縁の一部を半円形に切り抜いている。これに合成皮革のカバーを付け、チャックで脱着可能とした。また、診察台に載せたときにズレ落ちないようにマットの下に２本の脱着式のベルトを付けた。【選択図】図１
0003133734.tif 000002
【実用新案登録請求の範囲】
【請求項１】
柔らかい厚みのあるウレタンマットで、心臓の検査が可能なように辺縁の一部を半円形に切り抜いている。これに合成皮革のカバーを付け、チャックで脱着可能とした。また、診察台に載せたときにズレ落ちないようにマットの下に２本の脱着式のベルトを付けた。
【請求項２】
切り抜きの部分はマットの長辺の中心よりややずらして設けてあり、小型の動物では動物を右下左下とすることで検査でき、大型の動物ではさらにマットを裏返しすることで一つの切り込みで左右の胸壁からの検査を可能とした。
【考案の詳細な説明】
【技術分野】
【０００１】  本考案は小動物の獣医療における超音波検査の補助用具に関する物で、ペットが心地よく寝ることができる心臓超音波検査用の柔らかな敷マットについてのものである。
【背景技術】
【０００２】  近年、ペットの飼育頭数の増加に伴い、獣医療についても飛躍的に技術が向上しつつあり、犬猫などの小動物では病気の診断のために超音波断層検査が行われることが多くなってきている。心臓超音波検査では従来硬いテーブル上の検査台に動物を乗せ検査を行っており、テーブルが硬いために動物が苦痛を感じ暴れてしまう等の問題があった、また、検査テーブルを診察台に乗せるために動物が検査台ごと落下する危険性もあった。また、心臓検査用の台は腹部などの超音波検査に使えないために、別に腹部用のマットなどを用意しなくてはならなかった。
【考案の開示】
【考案が解決しようとする課題】
【０００３】  小動物の超音波検査では動物をおとなしく検査台の上で寝かせる必要がある。その目的で腹部検査用の柔らかなマットはあるが、心臓検査には向いていなかった。心臓の検査では超音波の探触子を横に寝かした動物の下から当てなくてはらないため、テーブルの一部を切り抜いた物が用いられているが、検査台が硬くて寝ているのが苦痛であり、検査時に暴れることが良く認められ、心臓検査用の柔らかなマットが必要とされていた。
本考案はこれらの問題点を解決するためになされたものである。
【課題を解決するための手段】
【０００４】  柔らかい厚みのあるウレタンマットで、心臓の検査が可能なように辺縁の一部を半円形に切り抜いている。これに合成皮革のカバーを付け、チャックで脱着可能とした。また、診察台に載せたときにズレ落ちないようにマットの下に２本の脱着式のベルトを付けた。
【考案の効果】
【０００５】  このマットを用いることで、素材が柔らかく痛みがないため、検査時に動物が安心して寝るようになり、検査が容易になった。探触子を持つ手をマットに当てて探触子を持つ手がずれないように安定させることができ、細かな検査も容易となった。また、マットが軽く、ある程度の堅さもあるため直立でき、持ち運びや収納もしやすいなどの利点もある。また、ズレ防止のベルトを付けたことで診察台からズレ落ちることが防止できた。
【考案を実施するための最良の形態】
【０００６】  マットとして素材はウレタン製の厚さ１０ｃｍの物で適度な柔らかさのものを使用した。大きさは動物病院で用いられている通常の診察台と同じ大きさとした。長辺の一部に中心よりずらして直径１２ｃｍの半円形のくりぬきを作成し、この部分から超音波の探触子を動物の下から当てられるようにした。このマットには合成皮革のカバーを装着しており、医療の現場で用いられることの多い次亜塩素酸ナトリウムやアルコールなどの消毒剤が使えるように、また、動物の爪などでも破けづらい頑丈な素材とした。このカバーにはファスナーを設け、脱着し洗濯も可能とした。
なお、マットが診察台から脱落することを防止するためにマットには脱着式のベルトを設け、診察台と固定できるようにしている。このベルトは不要な時にははずせるように脱着式とした。
考案は以上の構成からなるもので、本品を用いる時には診察台に乗せ、ベルトで固定する。検査する動物の心臓のある胸部の部位をこのマットの切り抜きの部分になるようにして横臥位で保定し、超音波の探触子をこの切り込みの部分より差し入れ、動物の下から当てるようにする。
また、大型犬ではこのマットを裏返しすることにより、胸部の右下と左下からの検査が可能としている。
【図面の簡単な説明】
【０００７】
【図１】  本考案の平面図
【図２】  本考案の正面図
【図３】  本考案の背面図
【図４】  本考案の断面図
【符号の説明】
【０００８】（１）くり抜き部分、（２）固定用ベルト、（３）ファスナー、（４）合成皮カバー、（５）ウレタンマット、（６）ベルト固定用金具
【図１】
0003133734.tif 000003
【図２】
0003133734.tif 000004
【図３】
0003133734.tif 000005
【図４】
0003133734.tif 000006
【手続補正書】
【提出日】平成19年4月10日(2007.4.10)
【手続補正１】
【補正対象書類名】実用新案登録請求の範囲
【補正対象項目名】全文
【補正方法】変更
【補正の内容】
【実用新案登録請求の範囲】
【請求項１】
柔らかい厚みのあるウレタンマットで、心臓の検査が可能なように辺縁の一部を半円形に切り抜いて、これに合成皮革のカバーを付け、チャックで脱着可能としており、さらに診察台に載せたときにズレ落ちないようにマットの下に２本の脱着式のベルトを付けた動物用のエコー検査時のソフトマット。
【請求項２】
切り抜きの部分はマットの長辺の中心よりややずらして設けてあり、小型の動物では動物を右下左下とすることで検査でき、大型の動物ではさらにマットを裏返しすることで一つの切り込みで左右の胸壁からの検査を可能とした動物用のエコー検査時のソフトマット。
(57)【要約】【課題】本考案はスノーダンプ本体に本器具を取り付けることにより運搬車としての機能を持たせ、通年使用を可能にする。【解決手段】本考案はスノーダンプ本体８に１のはめこみ器具で１，２，３，５，７で構成される車輪部分と１，６，７ａで構成されるスタンド部分を取り付け、４の蝶ネジを締め付けて固定する事により運搬車として役立つ。【選択図】図２
0003133739.tif 000002
【実用新案登録請求の範囲】
【請求項１】
スノーダンプに取り付けて夏季も運搬車として使用できるようにする為、簡単に脱着できるように取り付け部分の器具をプラスチック製のはめこみ器具としたのを特徴とするスノーダンプ改良車
【考案の詳細な説明】
【技術分野】
【０００１】    本考案は、スノーダンプへの脱着を簡単にした車輪に関するものである。
【背景技術】
【０００２】    スノーダンプは従来冬季３ヶ月ほどの使用で、夏季は物置などに保管されておった、下記特許文献１〜６に示すように車輪などを取り付けて夏季も別用途に使用する提案がされている。【０００３】
【特許文献１】  特開  ２００５−１６３４１５
【特許文献２】  特開  ２００３−２６１９１６
【特許文献３】  特開  ２００２−２７５８４６
【特許文献４】  実開  平２−１４８０２５
【特許文献５】  実開  昭６３−１２１６２３
【特許文献６】  実登  ３０２７１５２
【考案の開示】
【考案が解決しようとする課題】
【０００４】    冬季間しか使用しないスノーダンプの欠点を、運搬機能を持たせる事により通年使用できるよう解決しようとするものである。
【課題を解決するための手段】
【０００５】  本考案はスノーダンプ本体に車輪をはめこみ器具で取り付けることにより問題点を解決している。
【考案の効果】
【０００６】  上述の様に本考案の器具を取り付けることにより、冬季使用のみだったスノーダンプが夏季も運搬車として役立つ。
【考案を実施すための最良の形態】
【０００７】  本器具の取り付けは車軸センターの蝶ネジを緩めて、車輪両側とスタンド上部のはめこみ器具をスノーダンプのパイプに押し込み蝶ネジを締めて固定する。
取り外しは蝶ネジを緩めて、はめこみ器具とパイプの隙間にドライバーの様な物を差し込んで外す。
【実施例】
【０００８】  以下、添付図面に従って実施例を説明する。１は、プラスチック素材にて一体化形成されたはめこみ器具、２は、はめこみ器具と３の車軸を固定する為のフレーム、７、７ａは、２及び６を固定する補強バーである。【０００９】  ４は、７、７ａを固定する蝶ネジでこれを締め付けることで１で８に取り付けた５の車輪、６のスタンドが安定し、使用状態となる。
【図面の簡単な説明】
【００１０】
【００１１】
【図１】  本考案のスノーダンプへの取り付けの一実施例を示す正面図
【図２】  本考案の取り付け状況を明解に示した側面図
【符号の説明】
【００１２】１        はめこみ器具
２        フレーム
３        車軸
４        蝶ネジ
５        車輪
６        スタンド
７，７ａ  補強バー
８        スノーダンプ
【図１】
0003133739.tif 000003
【図２】
0003133739.tif 000004
【手続補正書】
【提出日】平成19年5月1日(2007.5.1)
【手続補正１】
【補正対象書類名】実用新案登録請求の範囲
【補正対象項目名】全文
【補正方法】変更
【補正の内容】
【実用新案登録請求の範囲】
【請求項１】
スノーダンプに車輪を取り付けて夏季も運搬車として使用できるようにしたスノーダンプ改良車であって、当該車輪をスノーダンプに対して簡単に着脱できるように、車輪を固定するフレームにおけるスノーダンプに対する取り付け部分を、スノーダンプ上縁部のパイプに外嵌するプラスチック製のはめこみ器具としたことを特徴とするスノーダンプ改良車。
(57)【要約】【課題】荷物をトラック等の荷台に載せてロープで固定する際に比較的小さな力で縛り締めることができ、荷造り作業の負担を軽減することができるようなロープ緊締補助具を提供することを目的とする。【解決手段】ロープをトラック等の荷台フック間に掛け渡して荷物を荷台に安定的に縛り固定する際に用いるロープ緊締補助具であって、ロープ係止部を有する支持体に滑車を設けてなるロープ緊締補助具【選択図】図１
0003133768.tif 000002
【実用新案登録請求の範囲】
【請求項１】
ロープをトラック等の荷台フック間に掛け渡して荷物を荷台に安定的に縛り固定する際に用いるロープ緊締補助具であって、ロープ係止部を有する支持体に滑車を設けてなることを特徴とするロープ緊締補助具。
【考案の詳細な説明】
【技術分野】
【０００１】  本考案は、ロープ緊締補助具に関し、詳しくはトラック等の荷台に載せた荷物をロープで縛り固定する際に使用し、ロープによる荷物固定作業を容易にするロープ緊締補助具に関する。
【背景技術】
【０００２】  図６（Ａ）（Ｂ）（Ｃ）に示すように、トラック荷台の対向側フック１１にロープＲのリング端１２が係止され、対向側から荷物を越えて引き出された該ロープＲの中間部に、ロープＲを巻回して二重輪１３を作り、二重輪１３に続くロープＲを折り曲げて第一輪１４及び第一屈曲部１５を形成すると共に、第一屈曲部１５を二重輪１３内に潜らせ、二重輪１３を絞って結び目Ｋを形成する。次いで第一屈曲部１５に続くロープＲを屈曲させて形成した第二屈曲部１６を第一輪１４内に通した後、第二屈曲部１６を第二フック１７に係合する。そして第二屈曲部６に続くロープＲを矢印方向に引き下げると結び目Ｋによって緩むことのない第二輪１４が支持部となって第二屈曲部１６近傍のロープＲが絞られて対向側フック１１と第二フック１７間のロープＲが緊張し荷物は荷台に堅固に固定される。【０００３】  かかる従来のロープ緊締機構において、縛り締め力を増す為に、第二屈曲部に続くロープＲが第二輪１４内を摺動する際、緊締力の増大も作用してロープ同士の接触抵抗が大きくなり、縛り締めにかなりの大きな力が必要となる。また、トラック等の荷台の複数のフック間にロープを張り渡して固定するので一般に縛り締め力付加箇所もフック数に応じた数となって縛り締め作業の負担も大きなものとなり、作業者の労苦も大きい。
【考案の開示】
【考案が解決すべき課題】
【０００４】  本考案はこうした事情に着目してなされたものであって、荷物をトラック等の荷台に載せてロープで固定する際に比較的小さな力で縛り締めることができ、荷造り作業の負担を軽減することができるようなロープ緊締補助具を提供することを目的とする。
【課題を解決する為の手段】
【０００５】  しかして上記目的を達成した本考案のロープ緊締補助具は、ロープをトラック等のフック間に掛け渡して荷物を荷台に安定的に縛り固定する際に用いるロープ緊締補助具であって、ロープ係止部を有する支持体に滑車を設けてなるところに要旨を有するものである。
【考案の効果】
【００１１】  本考案は以上の通り構成、作用し、ローラによってロープ引き締めに要する力が格段に小さくなり、荷造り作業を効率よく実施することができる。
【考案の最良の形態】
【０００６】  第１図は、本考案に係るロープ緊締補助具を示す正面図、第２図は同側面図で、ロープ緊締補助具１にはブラケット２の対向方向にそれぞれ２個の切り欠き３ａ〜３ｄを設け、切り欠き３の奥部を拡幅して湾曲形状に加工している。ブラケット２の下部には外径がブラケット幅Ｗより大きいローラ５が支軸４に回転自在に支持配置されている。
【０００７】  かかるロープ緊締補助具１およびロープＲを用いて荷台に荷物を固定する場合、第３図に示すように対向側フックに一端を係止されたロープＲを手前側へ引き出し、その途中に上記ロープ緊締補助具１を配し、ブラケットの切り欠き３ａ、３ｂ、３ｃ、３ｄの順にロープＲを嵌め込んでいき、その延長端を手前側荷台フック６に係合させ上方へ引き出す。引き出したロープＲの延長端をブラケット２下端のローラ５に巻回し反転して下方へ引き出す。この状態でロープＲの引き出し端を下方へ引き下ろすとローラを介してロープＲが引き締まり荷物を荷台に堅固に固定することができる。
【０００８】  本実施例において、ローラ５にはロープＲを受けて下方へ移動しようとする力が作用するが、ブラケット２の切り欠き３ａ〜３ｄに交互にロープＲが嵌め込まれているので切り欠き３でロープＲのずれが防止され、ロープＲと一体になってブラケット２，ローラ５が降下してロープＲが引き締まる。尚、必要であれば切り欠き３ａと３ｂ間でロープＲを１回巻回させて下方へ通していけばロープＲとブラケット２のずれはより確実に防止することができる。また、上記実施例では、ロープ係止部をブラケット切り欠きで形成したが、ロープ係止部の構造はこれに限定されるものではなく、ローラを備えたブラケットとロープの位置ずれを防止できるものであればよい。
【０００９】  実施例は上記のように構成され、従来ロープ締め抵抗を最も大きくしていたロープ同士の摺動部分にローラを配したので引き締めに伴うロープ移動抵抗が格段に小さくなり、従来の約１／２以下の力でロープ緊締作業を実施することができる。
【００１０】  第４図、第５図は本考案の参考例を示し、この例ではロープＲに同心的に且つロープ上を移動可能にローラ５を設けている。この例では従来と同様にロープＲを操作して形成した第二輪１４の位置に上記ローラ５を移行配置する。そして、フックに係合して反転したロープＲはローラ５を経由して下方へ引き出される。この結果、ロープ引き締め抵抗ははローラ５によって軽減され小さな力でロープ引き締め操作を実施することができる。
【図面の簡単な説明】
【００１１】
【図１】本考案のロープ緊締補助具を示す正面図である。
【図２】本考案のロープ緊締補助具を示す側面図である。
【図３】本考案のロープ緊締補助具の使用状態を示す側面図である。
【図４】参考例のロープ緊締補助具を示す側面図である。
【図５】参考例のロープ緊締補助具の使用状態を示す正面図である。
【図６】従来例のロープ緊締手順を示す説明図である。
【符号の説明】
【００１２】１  ロープ緊締補助具
２  ブラケット
３ａ、３ｂ、３ｃ、３ｄ  切り欠き
４  支軸
５  ローラ
６  第二フック
Ｒ  ロープ
【図１】
0003133768.tif 000003
【図２】
0003133768.tif 000004
【図３】
0003133768.tif 000005
【図４】
0003133768.tif 000006
【図５】
0003133768.tif 000007
【図６】
0003133768.tif 000008
(57)【要約】      （修正有）【課題】物置等の奥の品を一目瞭然で見つけ出す表示札を提供する。【解決手段】蛇腹付き管１の上部に螺旋付き差し込み部２を設け、下部に螺旋付き栓３を設け、上部に連結する表示札４の上部に突起線を設け、下部に螺旋付き栓５を設け、蛇腹付き管下部に連結する着脱板６の上部に螺旋付き差し込み部７を設け、表示札、蛇腹付き管、着脱板を連結することを特徴とする隠れ品ここ表示札。【選択図】図１
0003133769.tif 000002
【実用新案登録請求の範囲】
【請求項１】
蛇腹付き管の上部に螺旋付き差込み部を設け、下部に螺旋付き栓を設け、上部に連結する表示札の上部に突起線を設け、下部に螺旋付き栓を設け、蛇腹付き管下部に連結する着脱板の上部に螺旋付き差込み部を設け、表示札、蛇腹付き管、着脱板を連結することを特徴とする隠れ品ここ表示札。
【考案の詳細な説明】
【技術分野】
【０００１】  本考案は、蛇腹管の上部に表示札、下部に着脱板を連結する隠れ品ここ表示札に関するものである。
【背景技術】
【０００２】  従来、物置等が広く余裕があれば品々を整然と並べ誰でも見つけやすいが、限られた場面では品々が重なり合い、奥の物は本人以外は見つけだすことが困難である。
【考案の開示】
【考案が解決しようとする課題】
【０００３】  そのために、次のような問題点があった。
（イ）物置、天袋、納戸、押入れ、又は冷蔵庫などは、様々な形状のものを積み重ねる場合があり、奥のものが見えにくくなる。
（ロ）まとめ書きした札をドア等に表示しても、混雑した中から見つけだすことは難しいことである。
本考案は、これらの問題を解決するためになされたものである。
【課題を解決するための手段】
【０００４】  蛇腹付き管の上部に螺旋付き差込部を設け、下部に螺旋付き栓を設け、上部に連結する表示札の上部に突起線を設け、下部に螺旋付き栓を設け、蛇腹付き管下部に連結する着脱板の上部に螺旋付き差込み部を設け、表示札、蛇腹付き管、着脱板を連結する。以上を特徴とする隠れ品ここ表示札である。
【考案の効果】
【０００５】  どんな形状の物にも着脱でき、軽く曲げ伸ばし自由のため奥の物でも目前に表示でき、また蛇腹管を辿っていくことにより誰でも見つけやすい。
【考案を実施するための最良の形態】
【０００６】  以下、考案の実施の形態について説明する。
（イ）蛇腹付き管（１）の長さは、約２０センチ位から自由に長く作られ、上部に螺旋付き差し込み部（２）を設け、下部に螺旋付き栓（３）を設け、この形状の物を複数作り２本でも３本でも連結できる物にする。
（ロ）最上部にセットする突起付き表示板（４）は、螺旋付き栓（５）を設ける。最下部にセットする着脱板（６）に螺旋付き差し込み部（７）を設ける。
本考案は、以上のような構成で、これを使用するときは、使用場面に於いて蛇腹管（１）を２本でも３本でも連結させ、突起付き表示札（４）の螺旋付き栓（５）を螺旋付き差し込み部（２）にねじり込み連結させる。蛇腹付き管（１）の最下部にセットする着脱板（６）は、螺旋付き差し込み部（７）をねじり込みセットさせる。
【実施例１】
【０００７】  表示板（４）にはメモ用紙に品名または日付けなどを書き込んでクリップで留める。突起線により使用中ははずれることもない。着脱板（６）を品物に着脱するときは、セロテープなどにより品物の側面に貼り付ける。布製のものは、ポリ袋などに入れて着脱ができる。
【実施例２】
【０００８】  クリップは市販のもので、クリップ以外はすべて飲料用ストローのようなポリプロピレン等で作ると軽く上下左右自由自在向けることができる。小さい場面大きい場面にセットも自由で、繰り返し使用できる。
【産業上の利用可能性】
【０００９】  コンピューター制御の時代ではあるが、一般家庭や余裕のない場面では、手軽に使用できるものと思う。
【図面の簡単な説明】
【１０００】
【図１】本考案の１セット部品図
【図２】本考案のメモ用紙セット図
【符号の説明】
【１１００】  １  蛇腹付き管
２  螺旋付き差し込み部
３  螺旋付き栓
４  突起付き表示札
５  表示札螺旋付き栓
６  着脱板
７  着脱板螺旋付き差し込み部
【図１】
0003133769.tif 000003
【図２】
0003133769.tif 000004
(57)【要約】【課題】      本考案は、半円形のカーラーにすることにより、髪の毛先と根元が巻きすぎ、ドライヤー等で手直しするというデメリットをなくし、緩やかなストレートに近いカールにすることが出来るカーラーに関する。【解決手段】  本考案では、プラスティック製の半円板をつくり、丸い面にだけ、雄型係合素子を有したヘアーカーラーとし、作成した半円形カーラーを前髪、サイド及び後髪用カーラーとして使用して、緩やかなストレートに近い髪型を形成する。【選択図】図３
0003133788.tif 000002
【実用新案登録請求の範囲】
【請求項１】
半円形の基体の丸み部分にのみ雄型係合素子を有したヘアーカーラー。
【考案の詳細な説明】
【技術分野】
【０００１】  半円形のカーラーにすることにより、髪の毛先と根元が巻きすぎ、ドライヤー等で手直しするというデメリットをなくし、緩やかなストレートに近いカールにすることが出来るカーラーに関する。
【背景技術】
【０００２】  従来のカーラーは円筒形の為、毛先と根元が捲きすぎ、ドライヤー等による手直しが必要であり、髪を傷める原因でもあった。
【考案の開示】
【考案が解決しようとする課題】
【０００３】  従来のカーラーは円筒形の為、毛先と根元が捲きすぎ、ドライヤー等による手直しが必要であった。【０００４】  また、カールする都度ドライヤー等が必要となり、髪を傷める原因ともなっていた。
【課題を解決するための手段】
【０００５】  従来の円筒形の形状を半円形にすることによって、毛先と根元の巻きすぎを防止することができる。【０００６】  捲きすぎることがないので、ドライヤー等で手直しする必要がなくなる。
【考案の効果】
【０００７】  毛先と根元が巻き過ぎなくなるため、緩やかなストレートに近いカールにすることが出来る。
【考案を実施するための最良の形態】
【０００８】  プラスティック製の半円板をつくり、丸い面にだけ、雄型係合素子を有したヘアーカーラーを作る。
【実施例】
【０００９】  作成した半円形カーラーを前髪、サイド及び後髪用カーラーとして使用し、緩やかなストレートに近い髪型を形成する。
【図面の簡単な説明】
【図１】これは全体図である。
【図２】これは断面図である。
【図３】これはヘアーカーラーの使用例である。
【符号の説明】
１  基体
２  雄型係合素子
【図１】
0003133788.tif 000003
【図２】
0003133788.tif 000004
【図３】
0003133788.tif 000005
(57)【要約】      （修正有）【課題】デジタル画像などに施されたモザイクやボカシ処理を行なった画像の鮮鋭化を行なう。【解決手段】複数のスリット２が隔設されたレンズ設置台３と、該レンズ設置台３のスリットに着脱可能に挿入される凸型フレネルレンズ５群と、該凸型フレネルレンズ５群と所定の間隔に離間して挿入される凹型フレネルレンズ４群とから構成される。【選択図】図１
0003133782.tif 000002
【実用新案登録請求の範囲】
【請求項１】
不鮮明な画像の鮮鋭化装置であって、複数のスリットが隔設されたレンズ設置台と、該レンズ設置台のスリットに着脱可能に挿入される凸型フレネルレンズ群と、該凸型フレネルレンズ群と所定の間隔に離間して挿入される凹型フレネルレンズ群とから構成される画像鮮鋭化装置。
【考案の詳細な説明】
【技術分野】
【０００１】  本考案は、デジタル画像などにおける不鮮明な画像の鮮鋭化に適した画像鮮鋭化装置に関するものである。
【背景技術】
【０００２】  従来より、ビデオ画像などにおいて部分的なマスクを作成してモザイクを施すことで部分修正を行なう技術が多数提案されて利用されている（特許文献１参照。）。また上記の技術を使ったモザイク解消手段もある。【０００３】
【特許文献１】特開２００２−６４７７９号広報
【考案の開示】
【考案が解決しようとする課題】
【０００４】    しかしながら、上記従来の技術はビデオ画像作成に必要な機材や専用のソフトを必要とし非常に高価であり、一般の利用者が使用できるものではなかった。また現時点でビデオ画像などにおける不鮮明な画像（例えばモザイク処理やボカシ処理された画像）を簡易に鮮鋭化できる装置も市場に提案されていない。【０００５】    本考案は、上記問題に鑑みなされたものであり、フレネルレンズの凹凸微細構造を通してビデオ画像などにおける不鮮明な画像を見ると、この不鮮明な画像部分が圧縮されて鮮鋭化して観察できる点に着目し、鋭意研究の結果、上記の構造の装置によって簡易に画像の鮮鋭化を可能とする画像鮮鋭化装置を提供するものである。
【課題を解決するための手段】
【０００６】    このため本考案の画像鮮鋭化装置は、不鮮明な画像の鮮鋭化装置であって、複数のスリットが隔設されたレンズ設置台と、該レンズ設置台のスリットに着脱可能に挿入される凸型フレネルレンズ群と、該凸型フレネルレンズ群と所定の間隔に離間して挿入される凹型フレネルレンズ群とから構成される。
【考案の効果】
【０００５】    本考案の画像鮮鋭化装置は上記の構成からなっているため、簡単な構造の装置によって対象となる不鮮明な画像（モザイクやボカシを含む）を鮮鋭化して見ることが可能である。【０００６】  また、凸型フレネルレンズ群及び凹型フレネルレンズ群を適宜な枚数組み合わせて設置が可能であり、対象となる画像の大きさによって変更が容易である。
【考案の実施するための最良の形態】
【０００６】  以下、本考案の実施の形態を、図面に示す実施例に基づいて説明するが、本考案が本実施例に限定されないことは言うまでもない。図１は本考案の１実施例を示す斜視図である。
【実施例】
【０００７】  図１に示すように、本考案の画像鮮鋭化装置１は、複数のスリット部２が形成されたレンズ設置台３と、スリット部２に挿入される凹型フレネルレンズ４と、凹型フレネルレンズ４と離間して挿入される凸型フレネルレンズ５から構成され、レンズ設置台３の一端側に載置された画像６を凹型フレネルレンズ４を介して凸型フレネルレンズ５方向から観察可能とされている。【０００８】  画像６には予めモザイク処理がされており、上記の凹型フレネルレンズ４を通過する際にレンズの凹凸微細構造によってモザイク部が光学的に圧縮され、現画像に近似した鮮鋭画像が再現可能となる。また、上記凸型フレネルレンズ５によって全体的に圧縮された画像が元のサイズに拡大される。尚、本実施例においては凹型フレネルレンズ４及び凸型フレネルレンズ５をそれぞれ１枚挿入して説明しているが、２枚以上を組み合わせて使用することも可能であり、モザイクやボカシの大きさ等によって適宜選択される。【０００９】  以上の構成による本考案の画像鮮鋭化装置によれば、従来のビデオ画像作成に必要な機材や専用のソフトを必要とせず、簡易な構成であるため安価であり、しかも凸型フレネルレンズ群及び凹型フレネルレンズ群を適宜な枚数組み合わせて設置が可能であり、対象となる画像の大きさによって変更ができる。尚、上記のフレネルレンズの材料はガラス、プラスチックなど通常使用されるものであればよく、とくに限定されることはない。
【図面の簡単な説明】
【００１０】
【図１】本考案の画像鮮鋭化装置の一実施例を示す斜視図である。
【符号の説明】
【００１１】  １        画像鮮鋭化装置
２        スリット部
３        レンズ設置台
４        凹型フレネルレンズ
５        凸型フレネルレンズ
【図１】
0003133782.tif 000003
(57)【要約】      （修正有）【課題】スーツケース内の荷物が少ない状態で運搬していると、開けたときに中身が端に偏ってしまっていることがある。衣類が皺になったり、壊れ物が内壁にあたったりするのを防ぐ。【解決手段】数カ所に溝を入れた長方形の板を２枚使い、それらを十字に組み合わせた仕切りを入れることで、スーツケース内の荷物が運搬中に偏らないようにする。これによって荷物が少ない内は仕切りで中を区切り、荷物が増えたら仕切りを取り外して分解し、スーツケースの端に収納しておく。【選択図】図２
0003133783.tif 000002
【実用新案登録請求の範囲】
【請求項１】
数カ所に溝を入れた長方形の板を２枚使い、それらを十字に組み合わせることで、スーツケース内の荷物が運搬中に偏らないよう、荷物の大きさに合わせた仕切りにする器具。
【考案の詳細な説明】
【技術分野】
【０００１】  本発明は、スーツケース内の荷物が偏るのを防ぐための道具に関する
【背景技術】
【０００２】  スーツケース内に荷物が少ないとき、中に付いているバンドで固定していても、蓋を締めて縦にして持ち運ぶうちに中身が偏ってしまうことがある。
【考案の開示】
【考案が解決しようとする課題】
【０００３】  スーツケースの中身が偏っても構わないものならよいが、衣類や壊れ物が端の方に偏るのは避けたい。【０００４】本発明は、スーツケース内に組み立て式の仕切り板を入れて、中身の偏りを防ごうとするものである。
【課題を解決するための手段】
【０００５】本発明は、上記目的を達成するために、荷物が少ないときは板で仕切りを作って荷物を区切った状態で固定させる。荷物が増えて仕切りが不要になれば板を嵩張らないよう分解してスーツケースの端に収納する。
【考案の効果】
【０００６】これにより、スーツケース内の荷物が少なくても偏らないよう運搬出来る。
【考案を実施するための最良の形態】
【０００７】
【実施例１】スーツケース
【産業上の利用可能性】
【図面の簡単な説明】
【０００８】
【図１】組み合わせる前の状態。
【図２】組み合わせた状態を斜め上から見た図である。
【図３】使用中の図である。
【符号の説明】
【０００９】  ａ  →  板（縦用１枚、横用１枚）
ｂ  →  組み合わせるための溝
ｃ  →  スーツケース
【図１】
0003133783.tif 000003
【図２】
0003133783.tif 000004
【図３】
0003133783.tif 000005
(57)【要約】      （修正有）【課題】一切の高価な部品や消耗材、或いは電源等を要することなく、大量かつ広範囲の流体を望ましい方向に活性化ないし改質させることのできる流体活性器を提供する。【解決手段】片側に流体流入口１Ａ、他側に流体流出口１Ｂを有するカートリッジ状容器１の内部に、湾曲した帯状ないしチップ状薄板体２を収容して、流体活性器とする。その際の当該薄板体２は湾曲した細小リボン状金属板であることが特に望ましく、とりわけ錆びず耐久性のあるステンレス金属（鋼）板が望ましい。【選択図】図１
0003133781.tif 000002
【実用新案登録請求の範囲】
【請求項１】
片側に流体流入口、他側に流体流出口を有するカートリッジ状容器内に、湾曲した帯状ないしチップ状薄板体を収容したことを特徴とする流体活性器。
【請求項２】
薄板体が湾曲した細小リボン状ステンレス金属板である請求項１記載の流体活性器。
【考案の詳細な説明】
【技術分野】
【０００１】この考案は、様々な気体や液体などの流体を活性化ないし改質させるための流体活性器に関する。
【背景技術】
【０００２】水、油、或いは空気などの流体をより望ましいものに改質させるために、例えばその通路に強力な磁場や電場を与えるものがある。また各種のカートリッジ類を取付けて有害物を除去するなどの方法も常套手段として広く採用されている。
【考案の開示】
【考案が解決しようとする課題】
【０００３】上記のような公知のものは各それなりに成果をあげているが、いずれも装置がやや複雑化ないし高コスト化していることは否めなく、部品の消耗に伴う取り替えなどの煩雑さやランニングコスト増大によって、実際に使用するにはかなり抵抗感がある場合が多かった。本考案はかかる現状に鑑み、一切の高価な部品や消耗材、或いは電源等を要することなく、大量かつ広範囲の流体を望ましい方向に活性化ないし改質させることのできる流体活性器を提供することを課題とする。
【課題を解決するための手段】
【０００４】片側に流体流入口１Ａ、他側に流体流出口１Ｂを有するカートリッジ状容器１の内部に、湾曲した帯状ないしチップ状薄板体２を収容して、本考案の流体活性器とする。【０００５】その際の上記薄板体２は、湾曲した細小リボン状金属板であることが特に望ましく、とりわけ錆びず耐久性のあるステンレス金属（鋼）板が望ましいことが判明した。【０００６】そもそも本考案は、流体が動きを伴う時に発生する電子の変化（電化）を利用して流体を活性化させるもので、一般的には流体がセラミックス等を接触通過する時に酸化還元反応を起こして活性化するとされるが、実際には経時変化により反応を示さなくなることが多い。この問題点を本考案は解決した。【０００７】その理論的メカニズムの完全な解明は今後の学術研究によるものの、当考案者らの実験によれば、金属板などの裏と表に正負の対の電離が起こることに関係し、そこを流体が通過する時に新たな電気的抵抗を発生させることにより、以下に述べるような効果を奏するに至ったものと推考される。
【考案の効果】
【０００８】本考案のカートリッジ状流体活性器を流体の通路に設置すると、流体は強制的に湾曲した薄板面に接触しつつ移動させられ、その際に静電磁気場との相互作用を生じさせて流体のエネルギーレベルを変化（上昇）させ、その化学反応性を活性化させることができる。例えば液体燃料や酸素（空気）等に適用すれば、燃費改善や排気の浄化を実現でき、水に適用すればその分子クラスターを細分化するなどと相俟って、より高品質の飲料水及び食品の製造や植物栽培の水をほとんどメンテナンスフリーで低コストに提供できるという効果がある。
【考案を実施するための最良の形態】
【０００９】カートリッジ状容器１の胴体部を例えば直径約１５ｃｍ、長さ約３０ｃｍの円筒状にしてその両横を網体３で仕切り、その内部に幅２〜３ｍｍ、厚さ約０．２ｍｍ、長さ不定でステンレス束子状に湾曲した帯状薄板体２を詰込み、その両横にはそれぞれ流体を通すホース４を接続する流体流入口１Ａと流体流出口１Ｂを設ける。【００１０】上記のような試作品を用いてその中を通した空気で灯油の燃焼状態を観察したところ、単なる空気と比較して明らかに炎が活発化し、排煙や臭いも減少した。【００１１】同じく灯油を当該試作品の中に通し、普通の空気中で燃焼させた場合でも、普通の灯油より燃焼状態が明らかに改善した。【００１２】更に水道水を当該試作品の中に通したところ、カルキ臭の消失と同時に水の浸透力が増大し、食品等の味覚向上や鮮度保持につながるような水質向上効果が認められた。
【産業上の利用可能性】
【００１３】本考案の流体活性器は広範な流体において副作用なく効果を発揮し、長期にわたりメンテナンスフリーで使い勝手が良いためニーズが高く、しかも構造が甚だシンプルで量産も容易であるから、産業上の利用可能性は十分にある。
【図面の簡単な説明】
【００１４】
【図１】本考案一例の断面図
【図２】本考案に用いる薄板体一例の見取図
【符号の説明】
【００１５】１……カートリッジ状容器    １Ａ……流体流入口    １Ｂ……流体流出口
２……湾曲した帯状ないしチップ状薄板体
３……網体
４……ホース
【図１】
0003133781.tif 000003
【図２】
0003133781.tif 000004
(57)【要約】【課題】  つま先部に補強部を有する軽量で安価な作業靴を提供する。  【解決手段】  長靴のつま先部の胴ゴムと胴裏の間に先芯ゴムシートを加熱軟化させて挟着し、補強布で固定して先芯部を形成し、靴成型後加硫することにより、ＪＩＳ  Ｋ６２５３  ショアＡ硬さが９２〜９７である硬質ゴムからなる先芯を有する長靴を得る。また、地下タビのつま先部の廻しテープ等のゴム部品と甲被の間に先芯ゴムシートを加熱軟化させて挟着し、補強布で固定して先芯部を形成し、靴成型後加硫することにより、ＪＩＳ  Ｋ６２５３  ショアＡ硬さが９２〜９７である硬質ゴムからなる先芯を有する地下タビを得る。【選択図】  図１
0003133772.tif 000002
【実用新案登録請求の範囲】
【請求項１】
つま先部に補強部を有する長靴であり、未加硫ゴムからなる先芯材とこれを固定するための補強布が胴裏布と胴ゴムの間に挟着されており、加硫後の先芯のＪＩＳ  Ｋ６２５３  ショアＡ硬さが９２〜９７であることを特徴とする長靴。
【請求項２】
つま先部に補強部を有する地下タビであり、未加硫ゴムからなる先芯材とこれを固定するための補強布が甲被と廻しテープ等のゴム部品との間に挟着されており、加硫後の先芯のＪＩＳ  Ｋ６２５３  ショアＡ硬さが９２〜９７であることを特徴とする地下タビ。
【請求項３】
つま先部に補強部を有する作業靴であり、未加硫ゴムからなる先芯材とこれを固定するための補強布が甲被と先保護ゴム等のゴム部品との間に挟着されており、加硫後の先芯のＪＩＳ  Ｋ６２５３  ショアＡ硬さが９２〜９７であることを特徴とする作業靴。
【請求項４】
請求項１，請求項２，請求項３記載の靴に用いられる先芯材は、厚さが１．２〜２．０ミリのシートであることを特徴とする。
【考案の詳細な説明】
【技術分野】
【０００１】
本考案は、長靴や地下タビ等の作業靴のつま先部の補強に関するものである。
【背景技術】
【０００２】
従来の作業靴は、つま先部分の安全性を確保するため、鋼製先芯や樹脂先芯などの高強度の素材がつま先部に挟着されている。いわゆる安全靴は、強度的には十分であったが、重量が重くなったり、足への馴染みが悪く履き心地が良いものではなかった。
【特許文献１】実開昭５２−１４８２４４号公報
【非特許文献１】特開２００５−４０５７１号公報
【考案の開示】
【考案が解決しようとする課題】
【０００３】
また、従来の安全靴においては、先芯部材をつま先形状に合わせて予めモールドで成型して準備しておく必要がある。このため、先芯とラストとの形状がピッタリと合うことが必要であり、先芯は形状が限定されるため、汎用性がなく、デザイン性の制約があった。またコスト的にも先芯を外注で製作依頼する場合、ミニマムロットが大きく価格アップの要因にもなっている。
最近は、安全靴の性能値をＪＩＳ規格を満足する程の要求はないが、ある程度のつま先保護を必要とするコスト的に安価な作業靴が市場から求められている。このような要望に答えるため、本考案の作業靴を考案したものである。
【課題を解決するための手段】
【０００４】
本考案の長靴は、つま先部に補強部を有する長靴であり、未加硫ゴムからなる先芯材とこれを固定するための補強布が胴裏布と胴ゴムの間に挟着されており、加硫後において先芯のＪＩＳ  Ｋ６２５３  ショアＡ硬さが９２〜９７であることを特徴とする。
【０００５】
本考案の地下タビは、つま先部に補強部を有する地下タビであり、未加硫ゴムからなる先芯材とこれを固定するための補強布が甲被と廻しテープ等のゴム部品との間に挟着されており、加硫後において先芯のＪＩＳ  Ｋ６２５３  ショアＡ硬さが９２〜９７であることを特徴とする。
【０００６】
本考案の作業靴は、つま先部に補強部を有する作業靴であり、未加硫ゴムからなる先芯材とこれを固定するための補強布が甲被と先保護ゴム等のゴム部品との間に挟着されており、加硫後において先芯のＪＩＳ  Ｋ６２５３  ショアＡ硬さが９２〜９７であることを特徴とする。
【０００７】
本考案に用いる先芯はシート状のものであり、厚さが１．２〜２．０ミリのものが好ましい。また、先芯を貼った後、固着するための補強布は、両面に接着剤が塗布されているのが良い。
【考案の効果】
【０００８】
本考案の靴は、長靴や地下タビのつま先部に高硬度ゴムが挟着されているため、つま先への軽度の衝撃から足（つま先）を保護し、鋼製先芯や樹脂製先芯を使用した靴よりも軽量化が実現できた。
また、先芯が弾性を有するゴムであるため、足へ掛る負担による疲労が軽減し、足当り違和感を緩和することができ、フィット性を向上することができた。
さらには、先芯の供給は、シートの状態で準備することができ、加熱軟化させてつま先のラストに馴染ませることができるので、特段の設備が要らず低コストで作業靴を製造することができた。
【考案を実施するための最良の形態】
【０００９】
本考案を実施するための最良の形態として長靴について説明する。
１．先芯材や補強布その他部品の準備
本考案の長靴に用いる先芯を準備した。先芯は、シート状であり、図２にその平面図を示す。
先芯ゴムシートは、未加硫の硬質ゴム配合をロールで混練りし、１．５ミリのシートに圧延した後、半月形状に裁断して準備した。
【００１０】
次に補強布は、細布相当品の両面に接着剤層をトッピングし、巻取り後テープ上に裁断した。
概略図を図３に示す。
その他、胴裏、胴ゴム、甲ゴム、甲飾りゴム、廻しテープ、底ゴム等のゴム部品、防雪片などの必要な部品を準備した。
【００１１】
２．加工工程
筒長のラストにソックス状に縫合わされた胴裏を吊り込みし、胴裏全体に糊引きし、つま先部に先芯ゴム（図２に示す）を加熱し軟化させ、ラストの形状に馴染ませて貼り付けし、補強布（図３に示す）を先芯の小口部分に貼り付け先芯がずれない様に固着した。
次に、この上から胴ゴムを貼り、先芯ゴムを胴裏と胴ゴムの間に挟着させた。この後、必要な、ゴム部品（甲ゴム、甲飾りゴム、踵ゴム、底ゴム、下テープ、廻しテープ等）を貼り合せ、加硫工程を経て未加硫ゴムの部材を加硫させて、型抜きした。  
【００１２】
３．仕上げ工程
型抜き後、防雪片を縫い付けて、図１に示す長靴を得た。
この長靴の先芯部は、加硫後におけるＪＩＳ  Ｋ６２５３  ショアＡ硬さは９５であった。そしてつま先の部分は、適度の硬度を有し、つま先部を保護するに十分であった。
【図面の簡単な説明】
【００１３】
【図１】本考案に係る長靴の概略図である。
【図２】本考案に係る先芯ゴムシートの平面図である。
【図３】本考案に係る先芯ゴムを固着するための補強布の概略図である。
【符号の説明】
【００１４】
１． 長靴
２． 先芯ゴム（先芯ゴムシート）
３． 補強布
【図１】
0003133772.tif 000003
【図２】
0003133772.tif 000004
【図３】
0003133772.tif 000005
【手続補正書】
【提出日】平成19年5月24日(2007.5.24)
【手続補正１】
【補正対象書類名】実用新案登録請求の範囲
【補正対象項目名】請求項４
【補正方法】変更
【補正の内容】
【請求項４】
つま先補強部に用いられる先芯材は、厚さが１．２〜２．０ｍｍのシートであることを特徴とする請求項１〜３のいずれか１項に記載の作業靴。
(57)【要約】      （修正有）【課題】携帯が簡単で貼付が容易に行え、いつでもどこでも使用ができて、しかも不要の際にはシールを剥がすことにより元通りの釦に戻る。万が一の危険を避けるために歩行者、運転者の双方が得られるメリットが大きい釦貼付用シールの提供。【解決手段】歩いている人が車の運転者に対して存在を早めに認知させることで、双方が接触するような事故が避けられるよう、礼服を着て歩いている人の釦の部分に光を反射する機能を有したシールを提供する。【選択図】図３
0003133779.tif 000002
【実用新案登録請求の範囲】
【請求項１】
シートと、シートに貼付された少なくとも１つの反射部材とからなり、シートに貼付された側の反射部材の一面には粘着材が付着されており、反射部材の他面には、反射塗料が付着されていることを特徴とする釦貼付用シール。
【請求項２】
大・中・小のサイズがあり、自分の洋服の釦に合致するサイズの反射材を選んで貼付することができることを特徴とする請求項１に記載の釦貼付用シール。
【請求項３】
貼付や剥離が容易に実施できるよう、個々の反射材には釦の裏側まで貼付させることにより反射材が固定できる爪が設けられていることを特徴とする請求項１に記載の釦貼付用シール。
【考案の詳細な説明】
【技術分野】
【０００１】本考案は自分の存在する場所と位置を周囲に知らせることを目的として、暗い場所においても、わずかな光をも反射して光る機能を有して、着ている洋服の釦に貼り付けられるシールに関するものである。
【背景技術】
【０００２】夜間の道路や建物の工事中の場所などの警備員や監視員と、夜間に活動する警察官などの制服の一部に、自分自身を守るため車のヘッドライトを反射して、万が一の事故から回避できるよう安全確保を目的として縫い込まれている特殊な繊維を見受けることができるが、一般人のためのものは特に見当たらない。
【考案の開示】
【考案が解決しようとする課題】
【０００３】全体的に黒っぽい服装（濃紺、紺、濃いグレーなど）は、夜間においては、そこに人が存在していることすら判別しにくい場合があり、ましてや礼服の場合は、一層その感が増幅され、擦れ違う際にようやく気付いて驚くようなケースも少なくない。
一方車を運転する側からも大変に見えにくい状態にあり、雨が降っている夜などは充分に注意して走行しなければならない。特に都市部や繁華街を外れた道などでは、うっかりすると接触しかねない危険な場合がある。
【課題を解決するための手段】
【０００４】暗い場所でも街灯の光や、車のヘッドライトを確実に反射して光る機能を有したシールを洋服の釦に貼り付けて、周囲の歩行者にも、車の運転者にも、自分が存在していることを知らせることによって安全確保のための一助とする。
【考案の効果】
【０００５】釦が反射して光ることによって、人が存在していることが瞬時に判断できるので、万が一の事故を回避するために役立つことにより、歩行者と車の運転者の双方が得られるメリットは大きい。
【考案を実施するための最良の形態】
【０００６】洋服には釦が付いており、釦に貼り付けることによって光を確実に反射する機能を持つ塗料が施された釦貼付用シールを提供する（材質は紙でも繊布でもよい）。【０００７】釦には、多種類のサイズがあるが、オーバーやコート用にやや大きめなものと、通常の洋服用に中型のもの、婦人用に小さめなものと大・中・小サイズを揃える（サイズは各シール毎に設けられている爪の部分で調整でき固定できる）。【０００８】シールには裏面全体に粘着材が施されており、貼付や剥離が容易にできるものとする（シールはあまり厚いものでなく画用紙程度の厚さでよい）。【０００９】礼服などに使用する際には、式場を退場して帰宅する際にシートからシールを剥がして釦に貼付して、帰宅時に剥離すれば元通りの礼服となる。【００１０】貼付は釦に限ることなく、安全確保を目的に使用することができる。貼り付けても損傷することが無いと考えられる服地であれば、胸や背中に着けてもよくまた当日の持ち物（鞄やハンドバッグ）のしかるべき場所に貼り付けてもよい。【００１１】シールに施す反射塗料の色は特定するものはないが、使用目的等考慮するとシルバー系が望ましい。【００１２】ノベルティとしても使用できる。
シートの余白に企業名や結婚式場、ホテル名又は斎場名や葬儀社名などを印刷することで、広告宣伝が可能である。
【図面の簡単な説明】
【００１３】
【図１】本考案のシート側面図
【図２】本考案の釦貼付時の説明図
【図３】本考案実施時のシート平面図
【符号の説明】
【００１４】    Ａ・・・シート（大・中・小サイズ別）
Ｂ・・・釦
１・・・反射材シール（表面・反射塗料付着部）
２・・・反射材シール（裏面・粘着材付着部）
３・・・反射材シール（釦貼付固定用爪部）
【図１】
0003133779.tif 000003
【図２】
0003133779.tif 000004
【図３】
0003133779.tif 000005
(57)【要約】【課題】  重いマットを持ち上げて、シーツをセットしなくても、楽にシーツをセット出来るマジックテープ（登録商標）付き、ベッド用シーツである。【解決手段】  シーツの四隅に取りつけてあるマジックテープ（登録商標）で止めるだけで、四隅がしっかり固定される、ベッドシーツを簡単にセット出来るのが特徴である。【選択図】図１
0003133774.tif 000002
【実用新案登録請求の範囲】
【請求項１】
ベッド用シーツの四隅にマジックテープ（登録商標）を付け、簡単にセット出来るようにした、着脱式ベッド用シーツである。
【考案の詳細な説明】
【技術分野】
【０００１】  本考案はベッド用シーツの四隅にマジックテープ（登録商標）を取り付けたものである。
【背景技術】
【０００２】  従来、ベッドシーツはマットにまき込みセットするか、まわりにゴムを入れてあり、マットに引っかけてセットするかしていた。
【考案の開示】
【考案が解決しようとする課題】
【０００３】  従来の方法では、重いマットを持ち上げてはさみ込まなければならず、重労働だった。
又ゴム式では、頭の方にゴムをかけ、後の方に強く引っぱってもかかりにくかった。
本シーツにより、労働的負担を軽減し、欠点を解決するものである。
【課題を解決するための手段】
【０００４】  シーツの四隅を切り、四隅をマジックテープ（登録商標）で止めるだけのものである。
又図２のようにシーツを切らず四隅をテープで止めるだけの方法もとれる。
【考案の効果】
【０００５】  上述の様に、シーツの四隅を止めるだけなので、重いマットを持ち上げなくてもすみ、シーツのセットが簡単で早く楽になる。又脱着も簡単で、そのまま洗濯も出来る。
【考案を実施するための最良の形態】
【０００６】  シーツ本体の四隅に付けてある、マジックテープ（登録商標）同士をはり合せることにより、四隅がしっかり固定され、ずれることがない。
【実施例】
【０００７】  添付図面のように、最初に２つの隅のテープを付けてマットに引っかけ、マットの後ろで、残った２つの隅のテープを付ける。
【産業上の利用可能性】
【０００８】  毎日シーツを取り替えるホテルの客室、病院、老人ホーム、一般家庭等で利用価値があり、シーツ業者も、簡単に製作出来、普及しやすい。
【図面の簡単な説明】
【０００９】
【図１】  四隅を各１ヶ所切った本考案のシーツの平面図である。
【図２】  シーツを切らない本考案のシーツの平面図である。
【図３】  シーツをセットした斜視図である。
【符号の説明】
【００１０】  １  表面に付けたマジックテープ（登録商標）
２  裏面に付けたマジックテープ（登録商標）
【図１】
0003133774.tif 000003
【図２】
0003133774.tif 000004
【図３】
0003133774.tif 000005